(57)【要約】      （修正有）【課題】線材を輪状に連結することなく、各々バラバラに独立して可動できる自由度を持たせるとともに、短時間でよく混ざる、従来にない新しい形状の撹拌器を提供する。【解決手段】撹拌器１は、柄２と、柄の先端に接続するヘッド５とからなり、ヘッドを、先端を丸く巻き込んだカール部５ｇを備えた線材５ｄが、複数本、放射状に配置されてなるヘッドとした。また、線材は、上から下に行くにしたがって外に広がり、一方最下部は内側に向け狭まる弧部５ｆを備え、さらに、線材のカール部の先端が、弧部に接触しない構成とした。【選択図】図１
2019013452.tif 000002
【特許請求の範囲】
【請求項１】
柄と、前記柄の先端に接続するヘッドとからなり、
前記ヘッドを、先端を丸く巻き込んだカール部を備えた線材が、複数本、放射状に配置されてなるヘッドとしたことを特徴とする撹拌器。
【請求項２】
前記線材は、上からした下に行くにしたがって外に広がり、一方最下部は内側に向け狭まる弧部を備えることを特徴とする請求項１に記載の撹拌器。
【請求項３】
前記線材のカール部の先端が、前記弧部に接触しないこと特徴とする請求項２に記載の撹拌器。
【請求項４】
前記カール部が、前記放射の中心側に位置することを特徴とする請求項１〜３の何れか１項に記載の撹拌器。
【請求項５】
前記複数の前記線材の中心部に、雫輪郭状で、底面視十字状にクロスする第一、第二輪部を備えることを特徴とする請求項１〜４の何れか１項に記載の撹拌器。
【請求項６】
前記第一輪部と、第二輪部の下部と前記線材の下部が略同一面に位置することを特徴とする請求項５に記載の撹拌器。
【請求項７】
前記柄が、電導ハンドミキサーに嵌着することを特徴とする請求項１〜６の何れか１項に記載の撹拌器。
【発明の詳細な説明】
【技術分野】
【０００１】
本発明は、美容、理容用のカラー剤等、ドレッシング、卵白、生クリームなどの食品等の液体、クリーム状物（以下、単に「対象物）ともいう）を混合、含気させる、特殊形状のヘッドを備えた、混合、泡立て、撹拌、をする器具（以下、単に「撹拌器」という）に関する。
【背景技術】
【０００２】
一般的な従来のヘッドを備えた撹拌器（特許文献１の図２）の改良として、特許文献１，２の発明が公開されている。
【０００３】
いずれのヘッドも、ステンレスの線材を楕円輪状に連結したうえで、複数、等間隔で、それらを楕円体の輪郭に配置している。したがって、線材の自由度がなく、可動域が狭いため、線材の暴れ、振動が少なく、対象物を十分に混合し、或いは泡立たせることができず、それらの処理に長時間を要していた。
【先行技術文献】
【特許文献】
【０００４】
【特許文献１】実開昭６４−８３４１号公報
【特許文献２】実開平０２−４５３５号公報
【発明の概要】
【発明が解決しようとする課題】
【０００５】
そこで、本発明は、線材を輪状に連結することなく、各々バラバラに独立して可動できる自由度を持たせるとともに、短時間でよく混ざる、従来にない新しい形状の撹拌器を提供することを目的とする。
【課題を解決するための手段】
【０００６】
本発明は、上記課題を解決するために、
（１）
柄と、前記柄の先端に接続するヘッドとからなり、
前記ヘッドを、先端を丸く巻き込んだカール部を備えた線材が、複数本、放射状に配置されてなるヘッドとしたことを特徴とする撹拌器。
（２）
前記線材は、上からした下に行くにしたがって外に広がり、一方最下部は内側に向け狭まる弧部を備えることを特徴とする（１）に記載の撹拌器。
（３）
前記線材のカール部の先端が、前記弧部に接触しないこと特徴とする（２）に記載の撹拌器。
（４）
前記カール部が、前記放射の中心側に位置することを特徴とする（１）〜（３）の何れかに記載の撹拌器。
（５）
前記複数の前記線材の中心部に、雫輪郭状で、底面視十字状にクロスする第一、第二輪部を備えることを特徴とする（１）〜（４）の何れかに記載の撹拌器。
（６）
前記第一輪部と、第二輪部の下部と前記線材の下部が略同一面に位置することを特徴とする（５）に記載の撹拌器。
（７）
前記柄が、電導ハンドミキサーに嵌着することを特徴とする（１）〜（６）の何れかに記載の撹拌器。
の構成とした。
【発明の効果】
【０００７】
本発明は以上の構成であるから、美容、理容用のカラー剤等、ドレッシング、卵白、生クリームなどの食品等の液体、クリーム状物を短時間で十分に混ぜることができる。実施例２であれば、従来の電気ハンドミキサーに取り付けて使用することもできる。
【図面の簡単な説明】
【０００８】
【図１】本発明である撹拌器の（Ａ）正面写真と、ヘッドの部分透視図である。
【図２】本発明である撹拌器の背面写真である。
【図３】本発明である撹拌器の左側写真である。
【図４】本発明である撹拌器の右側写真である。
【図５】本発明である撹拌器の平面写真である。
【図６】本発明である撹拌器の底面写真である。
【図７】本発明である撹拌器の平面側からの斜視写真である。
【図８】本発明である撹拌器の底面側からの斜視写真である。
【図９】本発明である撹拌器の分解写真である。（Ａ）は側面、（Ｂ）はヘッドの平面写真である。
【図１０】本発明である撹拌器の使用状態を示す写真である。
【図１１】本発明である撹拌器の第二の実施形対の正面写真である。
【図１２】本発明である撹拌器の第二の実施形対の背面写真である。
【図１３】本発明である撹拌器の第二の実施形対の左側面写真である。
【図１４】本発明である撹拌器の第二の実施形対の右側面写真である。
【図１５】本発明である撹拌器の第二の実施形対の平面写真である。
【図１６】本発明である撹拌器の第二の実施形対の底面写真である。
【発明を実施するための形態】
【０００９】
以下、添付の図面を参照し、本発明の実施の形態について詳細に説明する。なお、本発明は以下の実施例に限定されるものはない。
【実施例１】
【００１０】
図１−１０に示すように、本発明である撹拌器１は、柄２と、ジョイント３と、台座４と、ヘッド５からなり、図１０に示すように、対象物を撹拌して、混合、及び／又は含気、泡立てに使用することができる。図１０は、皿１１で生クリームを軽めにホイップして、泡１２を形成したときの写真である。
【００１１】
柄２は、手で握る部分であり、介在（ジョイント３、台座４）を介して、端部にヘッド５を接続する。柄の形状は特に限定されるものではないが、例えば、図示するように、上部が封止され、内部空洞とすることで軽量化が図れる。素材を、ステンレスなどの金属とすることで、強度と、酸、アルカリ等の化学物質への耐性が得られる。
【００１２】
ジョイント３は、ここでは、管で、柄２と台座４を内部に嵌着、接着させて、柄２に台座４を連結する。
【００１３】
台座４は、図１（Ｂ）、図９に示すように、線材５ｄ及び第一、第二輪部５ａ、５ｂを貫通させ、線材５ｄ及び第一、第二輪部５ａ、５ｂの位置決めをする円柱状の本体４ａと、本体４ａの下端に位置し、ジョイント３を係止するフランジ４ｂからなる。例えば、樹脂製の本体４ａに線材５ｄを通すことで、線材５ｄが輪状に連結していなくとも、各線材５ｄが絡むことなく、位置決めが容易かつ確実に行える。
【００１４】
ヘッド５は、図１（Ｂ）の模式図に示すように、台座４に貫通する直線部５ｅと、直線部５ｅに連設し、上からした下に行くにしたがって外に広がり、一方最下部は内側に向け狭まる弧部５ｆと、弧部５ｆに連設し、先端を丸く巻き込んだカール部５ｇからなる、ステンレスなどの丸棒の線材５ｄが複数本、放射状に配置されてなる。
【００１５】
図１及び図９に示すように、線材５ｄの台座４を貫通した端部は、リング５ｈに接合部５ｉで溶接されている。これにより、線材５ｄの端部の抜けを防止するとともに、各線材５ｄの長さ（台座４からの突出長、位置）も同等に整える。
【００１６】
カール部５ｇが、放射の中心側に位置するこことで、一層効率的な撹拌、含気を可能にし、さらに、カール部５ｇの先端が弧部５ｆに接触しないことで、粘稠物も上下に撹拌、せん断して、効果的に混合、ホイップすることができる。
【００１７】
本願発明では、従来の輪状の泡立て器と異なり、茶筅と同様に、線材５ｄがそれぞれ独立して可動するため効率な撹拌が可能になる。
【００１８】
粘度の低い、液状物の混合であれば、茶筅による撹拌で十分な混合も得られるが、粘度がある、美容、理容用のカラー剤等のクリーム、卵白、生クリームなどでは、茶筅では混ざらず、含気、ホイップもできない。しかし、本願発明は、線材５ｄの独立可動、カール部５ｇ、さらにその先端が弧部５ｆに接しないことで、高粘度物であっても、簡単、短時間で、十分に混合、含気、ホイップさせることができる。
【００１９】
さらに、複数の線材５ｄの中心部に、雫輪郭状で、底面視十字状にクロスする第一、第二輪部５ａ、５ｂを備えるよい。台座４を貫通した端部は、まとめて撚り、溶接して連結部５ｃを形成し、台座４からの抜けを防止する。
【００２０】
そして、第一、第二輪部５ａ、５ｂの下部と線材５ｄの下部が略同一面（図１（Ｂ）一点鎖線）に位置するとよい。平坦な容器内でも効率的に対象を撹拌、ホイップすることができる。
【００２１】
実施例１に示すように、ヘッド５、及び線材５ｄの部分、さらに、線材５ｄのカール部５ｇおよび弧状２ｆの部分の形状が、本願発明の特徴であり、従来にない形状、機能を有する部分である。
【実施例２】
【００２２】
図１１−１６に示すように、本発明である撹拌器２１は、アダプタ２６と、柄２２と、実施例１と同じく、ジョイント３と、台座４と、ヘッド５からなる。柄２２は、実施例１における柄２の上部を切断し短くしたもので、アダプタ２６を連結する。その連結手段としては、螺合、嵌着、溶接などが例示できる。ここでは、軸２６ａの下端に連結する円盤状の接続部２６ｂを柄２２内に挿入、溶接して接続した。
【００２３】
アダプタ２６は、軸２６ａの一端が、柄２２に連結し、他端は、従来から流通している、電動ハンドミキサー（図示省略）に嵌着する。溝２６ｃは電動ハンドミキサーへの嵌着部で、突起２６ｄは軸２６ａの電動ハンドミキサーへの挿入ガイド兼回転止めである。
【００２４】
このような形状であれば、従来の電動ハンドミキサーに取り付けて、電動で対象物を混合、泡立て等、撹拌することができる。手動用の実施例１の柄２の一部とアダプタ２６を柄２２に着脱、交換可能にすれば、利用範囲が広がり、汎用性ある撹拌器となる。
【符号の説明】
【００２５】
１      撹拌器
２      柄
３      ジョイント
４      台座
４ａ    本体
４ｂ    フランジ
５      ヘッド
５ａ    第一輪部
５ｂ    第二輪部
５ｃ    連結部
５ｄ    線材
５ｅ    直線部
５ｆ    弧部
５ｇ    カール部
５ｈ    リング
５ｉ    接合部
１１    皿
１２    泡
２１    撹拌器
２２    柄
２６    アダプタ
２６ａ  軸
２６ｂ  接続部
２６ｃ  溝
２６ｄ  突起
【図１】
2019013452.tif 000003
【図２】
2019013452.tif 000004
【図３】
2019013452.tif 000005
【図４】
2019013452.tif 000006
【図５】
2019013452.tif 000007
【図６】
2019013452.tif 000008
【図７】
2019013452.tif 000009
【図８】
2019013452.tif 000010
【図９】
2019013452.tif 000011
【図１０】
2019013452.tif 000012
【図１１】
2019013452.tif 000013
【図１２】
2019013452.tif 000014
【図１３】
2019013452.tif 000015
【図１４】
2019013452.tif 000016
【図１５】
2019013452.tif 000017
【図１６】
2019013452.tif 000018